(57)【要約】   【課題】簡単に電子装置の発熱部品に取り付け、かつ取り外せることができるラジエータの固定器具の提供。  【解決手段】本考案のラジエータの固定器具は、締付部品10と本体20からなり、締付部品10には、結合部11と圧着部12がある。結合部11はラジエータ30の側面に取り付けられ、止具押え111と突起部112がある。圧着部12の一端は結合部11の一端に接合され、もう一端には止具押え111に対応した止具がある。本体20は、結合部11と圧迫アーム22からなり、結合部11はラジエータ30のもう一方の側面を押さえる。圧迫アーム22には突起部112を通すための差込孔2211があり、且つ該突起部112に対して移動することもできる。圧着部12を回転させることにより、止具を止具押え111に掛けられるようにして、このとき圧迫アーム22が変形して下向きの力を加わり、ラジエータ収納槽33の底部に押し付けることにより、ラジエータ30は、電子装置の発熱部品にしっかりと組み付けられる。【選択図】  図１
0003107418.tif 000002
【実用新案登録請求の範囲】
【請求項１】
結合部と圧着部を有する締付部品と、連接部と圧迫アームを有する本体からなるラジエータの固定器具において、
該締付部品の結合部は、止具押さえと突起部があり、ラジエータの側面に取り付けられており、該締付部品の圧着部の一端は、結合部の一端に旋回可能に接合され、もう一端には止具押さえに対応した止具があることと、
該本体の連接部は、ラジエータのもう一方の側面を取り付けられており、該本体の圧迫アームには突起部を通すための、突起部に対応した差込孔があり、且つ突起部に対して移動することができ、前記圧着部を回転させることにより、止具を止具押さえに引っ掛け、該本体の圧迫アームが変形して下向きの力を加えることにより、ラジエータ収納槽の底部に押し付けられることとを特徴とするラジエータの固定器具。
【請求項２】
前記の本体は受圧部があり、前記差込孔が該受圧部に設けられていることを特徴とする請求項１に記載のラジエータの固定器具。
【請求項３】
前記の圧着部は押圧端があり、該押圧端には前記受圧部が該受圧部に対応したスプリングが設けられていることを特徴とする請求項１又は請求項２に記載のラジエータの固定器具。
【請求項４】
前記の結合部は少なくとも１つ以上の孔があることを特徴とする請求項１乃至請求項３のいずれかに記載のラジエータの固定器具。
【請求項５】
前記の連接部は少なくとも１つ以上の孔があることを特徴とする請求項１乃至請求項４のいずれかに記載のラジエータの固定器具。
【請求項６】
前記結合部は、軸孔が設けられており、該軸孔の幅は止具押さえの幅より大きいことと、圧迫アームが変形する場合、突起部の底辺から受圧部までの高さは、止具押さえの高さより大きいことを請求項１乃至請求項５のいずれかに記載のラジエータの固定器具。
【考案の詳細な説明】
【技術分野】
【０００１】
本考案はラジエータの固定部品であり、特に電子装置の発熱部品に用いるラジエータの固定部品に関する。
【背景技術】
【０００２】
電子装置において作動するそれぞれの電子部品から発生する熱は、電子装置の正常な動作に影響を与える可能性がある。したがって、電子装置の安定した動作を確保するためには、電子装置にラジエータを設置しなければならない。また、電子装置の動作に際して、熱エネルギーの発生量が最も大きい発熱部品はCPUであり、CPUから発生する熱が最も高く、ラジエータの需要も最も高くなっている。現状のCPUの放熱については、CPUにラジエータを設置し、ラジエータには放熱用ファンを取り付けることにより、CPUから発生する熱をラジエータに伝え、放熱用ファンからラジエータに気流を送り込むことにより、ラジエータで熱交換が行われ、これによって放熱の目的を達成するよう設計されている。このような放熱設計においては、ラジエータとCPUの結合関係が熱量の伝達に影響するため、有効な熱伝達を行うためには、ラジエータとCPUは緊密に接合されていなければならない。現状のラジエータとCPUは2つの部品に分かれているため、ラジエータをCPU上に装着するためには、固定器具によって固定しなければならない。従来の装着方法は、多くがU型のジグを用いてその両端の孔でCPUの固定支座（またはラジエータの固定支座）の両側にある鉤を引っ掛けて接続し、U型ジグに架橋方式に類する方法で下向きに圧力を加えることで、ラジエータとCPUを緊密に接合するものとなっている。通常、使用者は、一定の力をかけることによってジグのもう一端をCPUの固定支座に止めることができる。この設計ではラジエータに一定の締め付け力をかけることができるようになっているが、使用者が取り付けるのは容易ではなく、力の入れ方が不適切な場合（力が均一でない場合）は、CPU、またはCPUを設置した基板を損壊する可能性がある。
【特許文献１】記載なし
【考案の開示】
【考案が解決しようとする課題】
【０００３】
前記の問題点を鑑み、本考案が解決しようとする課題は、簡単に電子装置の発熱部品に取り付け、取り外せるラジエータの固定器具を提供することにある。
【課題を解決するための手段】
【０００４】
本考案のラジエータの固定器具は、締付部品と本体からなり、締付部品には、結合部と圧着部がある。結合部は、止具押さえと突起部があり、ラジエータの側面に取り付けられている。圧着部の一端は、結合部の一端に旋回可能に接合され、もう一端には止具押さえに対応した止具がある。本体は、連接部と圧迫アームからなり、連接部はラジエータのもう一方の側面を押さえる。圧迫アームには突起部を通すための、突起部に対応した差込孔があり、且つ該突起部に対して移動することができる。さらに、圧着部を回転させることにより、止具を止具押さえに引っ掛ける。このとき圧迫アームが変形して下向きの力を加えることにより、ラジエータ収納槽の底部に押し付けられる。これにより、ラジエータは、電子装置の発熱部品にしっかりと組み付けられる。
【０００５】
取り付ける際に、締付部品の孔を支座側面の接合体にはめ込んでから、連接部の孔を支座のもう一方の側面の接合体にはめ込むことにより、圧迫アームはラジエータの収納槽に収める。受圧部の差込孔は、突起部を通り抜けるようにして、且つ突起部に対して移動することもできる。次に、圧着部を回転して、圧着部の押圧端は、受圧部まで押し付け、またレバーの弾力性により止具を止具押さえに掛けるようにして、さらに止具121を止具押さえ111の方向に動かすことにより、止具押さえに締め付けられる。このようにして、本考案はラジエータに装着され、ラジエータを電子装置の発熱部品にしっかりと組み付けるという目的を達成することができる。そのとき、圧迫アームが変形して下向きの力を加えることにより、ラジエータの収納槽の底部に押し付けられる。これによりラジエータは、電子装置の発熱部品にしっかりと組み付けられる。
【０００６】
一方、本考案をラジエータから取り外す場合は、レバーを押し下げ、レバー自身の弾力性によって、止具が止具押さえから離れる。このように、押圧端は、該レバーの圧力から解放されるため、受圧部と接触している状態から旋回的に離れる。これと同時に圧迫アームは、元の状態に戻って、ラジエータの収納槽の底部から離れる。そして、本体の圧迫アームの受圧部を差込孔通して突起部から外すことにより、本体の圧迫アームを収納槽から完全に解放する。また、本体の連接部の孔を接合体からはずすことにより、本体を支座の側面から取り外し、締付部品の孔も接合体から外して、取り外しを完了させることができる。
【０００７】
更に本考案は、具体的には、下記の各考案により達成される。
(１）結合部と圧着部を有する締付部品と、連接部と圧迫アームを有する本体からなるラジエータの固定器具において、
該締付部品の結合部は、止具押さえと突起部があり、ラジエータの側面に取り付けられており、該締付部品の圧着部の一端は、結合部の一端に旋回可能に接合され、もう一端には止具押さえに対応した止具があることと、
該本体の連接部は、ラジエータのもう一方の側面を取り付けられており、該本体の圧迫アームには突起部を通すための、突起部に対応した差込孔があり、且つ突起部に対して移動することができ、前記圧着部を回転させることにより、止具を止具押さえに引っ掛け、該本体の圧迫アームが変形して下向きの力を加えることにより、ラジエータ収納槽の底部に押し付けられることとを特徴とするラジエータの固定器具。
（２）前記の本体は受圧部があり、前記差込孔が該受圧部に設けられていることを特徴とする前記第１項に記載のラジエータの固定器具。
（３）前記の圧着部は押圧端があり、該押圧端には前記受圧部が該受圧部に対応したスプリングが設けられていることを特徴とする前記第１項又は第２項に記載のラジエータの固定器具。
（４）前記の結合部は少なくとも１つ以上の孔があることを特徴とする前記第１項乃至第３項のいずれかに記載のラジエータの固定器具。
（５）前記の連接部は少なくとも１つ以上の孔があることを特徴とする前記第1項乃至第４項のいずれかに記載のラジエータの固定器具。
（６）前記結合部は、軸孔が設けられており、該軸孔の幅は止具押さえの幅より大きいことと、圧迫アームが変形する場合、突起部の底辺から受圧部までの高さは、止具押さえの高さより大きいことを請求項１乃至請求項５のいずれかに記載のラジエータの固定器具。
【考案の効果】
【０００８】
前述したように、本考案のラジエータの固定器具は、簡単に電子装置の発熱部品に取り付け、取り外せることができるため、装着する際に高精密度の電子機器の破損を防ぐことができる。本考案の目的、構造上の特徴およびその機能に対する理解をより深めるために、次に図とともにこれを詳しく説明する。
【考案を実施するための最良の形態】
【０００９】
図１は、本考案の第一実施例の分解図である。支座40は筐体からなり、これによりCPU50、コネクタ60、電気回路板70のような発熱部品の設置用スペースが作られる。該コネクタ60はCPU50と電気回路板70の接続に使うものである。該支座40には突起状の接合体41がある。ラジエータ30は、CPU50の上部に設置され、CPU50から発する熱を放出する。放熱効率を高めるため、ラジエータ30には、放熱フィン31と放熱モジュール32が設けられている。このほかに収納槽33がある。図１は、本考案の第一実施例の分解図であり、図２は、本考案の第一実施例の装着図である。本考案のラジエータの固定器具は、締付部品10と本体20からなり、締付部品10には、結合部11と圧着部12がある。結合部11はラジエータ30の側面に取り付けられ、止具押さえ111と突起部112、孔113と軸孔114がある。孔113は、支座40側面の接合体41に対応しており、締付部品10を支座40の側面に固定するものである。圧着部12の一端は、結合部11の一端に旋回可能に接合されており、もう一端には止具押さえ111に対応した止具121があり、かつ適切な位置に押圧端122がある。レバー123は、止具121の同端にあって、弾力性があるため、止具121を止具押さえ111に対して移動させることができる。本体20は、互いに接続されている連接部21と圧迫アーム22からなり、連接部21はラジエータ30のもう一方の側面を押さえるもので、支座40側面の接合体41に対応した孔211があり、これにより、連接部21を支座40の側面に固定する。圧迫アーム22は、収納槽33に収められており、先端には受圧部221が設けられている。該受圧部221には突起部112を通すための、突起部112に対応する差込孔2211があり、且つ該突起部112に対して移動することもできる。圧着部12を回転させることにより、押圧端122を受圧部221に押し付け、止具121を止具押さえ111に引っ掛けるようにする。そのとき、圧迫アーム22が変形して下向きの力を加えることにより、ラジエータ30の収納槽33の底部に押し付けられる。これにより、ラジエータ30は、CPU50にしっかりと組み付けられる。
【００１０】
図3A、図3B、図3C、図3Dは、本考案の第一実施例の取り付け・取り外し図である。まず取り付けを行う場合は、締付部品10の孔113を支座40側面の接合体41にはめ込んでから、連接部21の孔211を支座40のもう一方の側面の接合体41にはめ込んで、これにより圧迫アーム22は、ラジエータ30の収納槽33に収められる。受圧部221の差込孔2211は、突起部112を通り抜けるようにして、且つ突起部112に対して移動することもできる。次に、圧着部12を回転して、圧着部12の押圧端122は、受圧部221まで押し付け、またレバー123の弾力性により止具121を止具押さえ111に掛けるようにして、さらに止具121を止具押さえ111の方向に動かすことにより、止具押さえ111に締め付けられる。このようにして、本考案はラジエータ30に装着され、ラジエータ30をCPU50にしっかりと組み付けるという目的を達成することができる。さらに、圧迫アーム22が変形して下向きの力を加えることにより、ラジエータ30の収納槽33の底部に押し付けられ、ラジエータ30は、CPU50にしっかりと組み付けられる。図４A、図４Bは、本考案の第一実施例で、圧迫アームが収納槽に押え付けられている場合と、押し付けられていない場合を示したものである。
【００１１】
一方、本考案をラジエータ30から取り外す場合は、レバー123を押し下げ、レバー123自身の弾力性によって、止具121が止具押さえ111から離れる。このように、押圧端122は、該レバー123の圧力から解放されるため、受圧部221と接触している状態から旋回的に離れる。これと同時に圧迫アーム22は、元の状態に戻って、ラジエータ30の収納槽33の底部から離れる。そして、本体20の圧迫アーム22の受圧部221を差込孔2211通して突起部112から外すことにより、本体20の圧迫アーム22を収納槽33から完全に解放する。また、本体20の連接部21の孔211を接合体41からはずすことにより、本体20を支座40の側面から取り外し、締付部品10の孔113も接合体41から外して、取り外しを完了させることができる。
【００１２】
図５は、本考案の第二実施例の第1斜視図であり、支座40は筐体で、これによりCPU50、コネクタ60、電気回路板70のような発熱部品の設置用スペースが作られる。該コネクタ60はCPU50と電気回路板70の接続に使うものである。該支座40には突起状の接合体41がある。放熱効率を高めるため、ラジエータ30には、放熱フィン31と放熱モジュール32が設けられている。このほかに収納槽33がある。
【００１３】
図６は、本考案の第二実施例の第２斜視図である。図５、図６に示すように、本考案のラジエータの固定器具は、締付部品10と本体20からなり、締付部品10には、結合部11と圧着部12がある。結合部11はラジエータ30の側面に取り付けられ、止具押さえ111と突起部112、孔113と軸孔114がある。止具押さえ111は、高さをd1、幅をw1とする鉤状のものである。孔113は、支座40側面の接合体41に対応しており、締付部品10を支座40の側面に固定するものである。軸孔114の幅はw2とする。圧着部12の一端は、結合部11の一端に旋回可能に接合されており、もう一端には止具押さえ111に対応した止具121があり、また、適切な位置に押圧端122が設けられている。レバー123は止具121の同端にあって、弾力性があるため、止具121を止具押さえ111に対して移動させることができる。本体20は、互いに接続されている連接部21と圧迫アーム22からなり、連接部21はラジエータ30のもう一方の側面を押さえるもので、支座40側面の接合体41に対応した孔211があり、これにより、連接部21を支座40の側面に固定することができる。圧迫アーム22は、収納槽33に収められており、受圧部221を有する。該受圧部221には突起部112を通すための、突起部112に対応する差込孔2211があり、且つ該突起部112に対して移動することもできる。圧着部12を回転させることにより、押圧端122を受圧部221に押し付け、止具121を止具押さえ111に引っ掛けるようにする。そのとき、圧迫アーム22が変形して下向きの力を加えることにより、ラジエータ30の収納槽33の底部に押し付けられる。これにより、ラジエータ30は、CPU50にしっかりと組み付けられる。また、圧迫アーム22が変形する際に、突起部112の底辺から受圧部221までの高さをd2とし、d1はd2より小さい。
【００１４】
図７A、図７B、図７C、図７Dは、本考案の第三実施例の取り付け・取り外し図である。まず取り付けを行う場合は、締付部品10の孔113を支座40側面の接合体41にはめ込んでから、連接部21の孔211を支座40のもう一方の側面の接合体41にはめ込んで、これにより圧迫アーム22は、ラジエータ30の収納槽33に収められる。受圧部221の差込孔2211は、突起部112を通り抜けるようにして、且つ突起部112に対して移動することもできる。次に、圧着部12を回転して、圧着部12の押圧端122は、受圧部221まで押し付け、またレバー123の弾力性により止具121を止具押さえ111に掛けるようにして、さらに止具121を止具押さえ111の方向に動かすことにより、止具押さえ111に締め付けられる。このようにして、本考案はラジエータ30に装着され、ラジエータ30をCPU50にしっかりと組み付けるという目的を達成することができる。さらに、圧迫アーム22が変形して下向きの力を加えることにより、ラジエータ30の収納槽33の底部に押し付けられ、ラジエータ30は、CPU50にしっかりと組み付けられる。図８A、図８Bは、本考案の第三実施例で、圧迫アームが収納槽に押え付けられている場合と、押し付けられていない場合を示したものである。
【００１５】
一方、本考案をラジエータ30から取り外す場合は、レバー123を押し下げ、レバー123自身の弾力性によって、止具121が止具押さえ111から離れる（当然のことながら、d1＜d2であるために、止具121が止具押さえ111から離脱する方向に移動すると、受圧部221は突起部112の下方に移動するため、止具121は止具押さえ111から離脱することができる。これと同時にw2は、w1より若干大きいため、止具121は止具押さえ111から離脱する方向に移動することにより離脱する）。このように、押圧端122は、該レバー123の圧力から解放されるため、受圧部221と接触している状態から旋回的に離れる。これと同時に圧迫アーム22は、元の状態に戻って、ラジエータ30の収納槽33の底部から離れる。そして、本体20の圧迫アーム22の受圧部221を差込孔2211通して突起部112から外すことにより、本体20の圧迫アーム22を収納槽33から完全に解放する。また、本体20の連接部21の孔211を接合体41からはずすことにより、本体20を支座40の側面から取り外し、締付部品10の孔113も接合体41から外して、取り外しを完了させることができる。
【００１６】
図9は、本考案の第三実施例の第１斜視図である。支座の部分は、図１と同様、支座40は筐体で、これによりCPU50、コネクタ60、電気回路板70のような発熱部品の設置用スペースが作られる。該コネクタ60はCPU50と電気回路板70の接続に使うものである。該支座40には突起状の接合体41がある。放熱効率を高めるため、ラジエータ30には、放熱フィン31と放熱モジュール32が設けられている。このほかに収納槽33がある。
【００１７】
図１０は、本考案の第三実施例の第２斜視図である。図９、図１０に示すように、本考案のラジエータの固定器具は、締付部品10と本体20からなり、締付部品10には、結合部11と圧着部12がある。結合部11はラジエータ30の側面に取り付けられ、止具押さえ111と突起部112、孔113と軸孔114がある。止具押さえ111は、高さをd1、幅をw1とする鉤状のものである。孔113は、支座40側面の接合体41に対応しており、締付部品10を支座40の側面に固定するものである。軸孔114の幅はw2とする。圧着部12の一端は、結合部11の一端に旋回可能に接合されており、もう一端には止具押さえ111に対応した止具121があり、また、適切な位置にスプリング1221を有する押圧端122が設けられている。レバー123は止具121の同端にあって、弾力性があるため、止具121を止具押さえ111に対して移動させることができる。本体20は、互いに接続されている連接部21と圧迫アーム22からなり、連接部21はラジエータ30のもう一方の側面を押さえるもので、支座40側面の接合体41に対応した孔211があり、これにより、連接部21を支座40の側面に固定することができる。圧迫アーム22は、収納槽33に収められており、さらにスプリング1221に対応する受圧部221を有する。該受圧部221には突起部112を通すための、突起部112に対応する差込孔2211があり、且つ該突起部112に対して移動することもできる。圧着部12を回転させることにより、押圧端122を受圧部221に押し付け、止具121を止具押さえ111に引っ掛けるようにする。そのとき、圧迫アーム22が変形して下向きの力を加えることにより、ラジエータ30の収納槽33の底部に押し付けられる。これにより、ラジエータ30は、CPU50にしっかりと組み付けられる。また、圧迫アーム22が変形する際に、突起部112の底辺から受圧部221までの高さをd2とし、d1はd2より小さい。
【００１８】
図11A、図11B、図11C、図11Dは、本考案の第三実施例の取り付け・取り外し図である。まず取り付けを行う場合は、締付部品10の孔113を支座40側面の接合体41にはめ込んでから、連接部21の孔211を支座40のもう一方の側面の接合体41にはめ込んで、これにより圧迫アーム22は、ラジエータ30の収納槽33に収められる。受圧部221の差込孔2211は、突起部112を通り抜けるようにして、且つ突起部112に対して移動することもできる。次に、圧着部12を回転して、圧着部12の押圧端122は、スプリング1221を受圧部221まで押し付け、またレバー123の弾力性により止具121を止具押さえ111に掛けるようにして、さらに止具121を止具押さえ111の方向に動かすことにより、止具押さえ111に締め付けられる。このようにして、本考案はラジエータ30に装着され、ラジエータ30をCPU50にしっかりと組み付けるという目的を達成することができる。さらに、圧迫アーム22が変形して下向きの力を加えることにより、ラジエータ30の収納槽33の底部に押し付けられ、ラジエータ30は、CPU50にしっかりと組み付けられる。図12A、図12Bは、本考案の第三実施例で、圧迫アームが収納槽に押え付けられている場合と、押し付けられていない場合を示したものである。
【００１９】
一方、本考案をラジエータ30から取り外す場合は、レバー123を押し下げ、レバー123自身の弾力性によって、止具121が止具押さえ111から離れる（当然のことながら、d1＜d2であるために、止具121が止具押さえ111から離脱する方向に移動すると、受圧部221は突起部112の下方に移動するため、止具121は止具押さえ111から離脱することができる。これと同時にw2は、w1より若干大きいため、止具121は止具押さえ111から離脱する方向に移動することにより離脱する）。このように、押圧端122は、該レバー123の圧力から解放されるため、また圧縮されているスプリング1221の弾力により、受圧部221と接触している状態から旋回的に離れる。これと同時に圧迫アーム22は、元の状態に戻って、ラジエータ30の収納槽33の底部から離れる。そして、本体20の圧迫アーム22の受圧部221を差込孔2211通して突起部112から外すことにより、本体20の圧迫アーム22を収納槽33から完全に解放する。また、本体20の連接部21の孔211を接合体41からはずすことにより、本体20を支座40の側面から取り外し、締付部品10の孔113も接合体41から外して、取り外しを完了させることができる。
【００２０】
以上の内容は、本考案を説明するための好適な実施例であり、これをもって本考案にいかなる制限を加えることも意図しておらず、同一の考案精神のもとで、本考案に係る何らかの修飾または変更を行った場合は、すべて本考案意図の保護範囲とする。
【図面の簡単な説明】
【００２１】
【図１】本考案の第一実施例におけるラジエータの固定器具分解図である。
【図２】本考案の第一実施例におけるラジエータの固定器具の装着図である。
【図３Ａ】本考案の第一実施例におけるラジエータの固定器具の取り付け・取り外し図である。
【図３Ｂ】本考案の第一実施例におけるラジエータの固定器具の取り付け・取り外し図である。
【図３Ｃ】本考案の第一実施例におけるラジエータの固定器具の取り付け・取り外し図である。
【図３Ｄ】本考案の第一実施例におけるラジエータの固定器具の取り付け・取り外し図である。
【図４Ａ】本考案の第一実施例における圧迫アームが収納槽に押え付けられている状態を示す図面である。
【図４Ｂ】本考案の第一実施例における圧迫アームが収納槽に押し付けられていない状態示す図面である。
【図５】本考案の第二実施例の第1斜視図である。
【図６】本考案の第二実施例の第２斜視図である。
【図７Ａ】本考案の第二実施例におけるラジエータの固定器具の取り付け・取り外し図である。
【図７Ｂ】本考案の第二実施例におけるラジエータの固定器具の取り付け・取り外し図である。
【図７Ｃ】本考案の第二実施例におけるラジエータの固定器具の取り付け・取り外し図である。
【図７Ｄ】本考案の第二実施例におけるラジエータの固定器具の取り付け・取り外し図である。
【図８Ａ】本考案の第二実施例における圧迫アームが収納槽に押え付けられている状態を示す図面である。
【図８Ｂ】本考案の第二実施例における圧迫アームが収納槽に押し付けられていない状態示す図面である。
【図９】本考案の第三実施例の第1斜視図である。
【図１０】本考案の第三実施例の第２斜視図である。
【図１１Ａ】本考案の第三実施例におけるラジエータの固定器具の取り付け・取り外し図である
【図１１Ｂ】本考案の第三実施例におけるラジエータの固定器具の取り付け・取り外し図である
【図１１Ｃ】本考案の第三実施例におけるラジエータの固定器具の取り付け・取り外し図である
【図１１Ｄ】本考案の第三実施例におけるラジエータの固定器具の取り付け・取り外し図である。
【図１２Ａ】本考案の第三実施例における圧迫アームが収納槽に押え付けられている状態を示す図面である。
【図１２Ｂ】本考案の第三実施例における圧迫アームが収納槽に押し付けられていない状態示す図面である。
【符号の説明】
【００２２】
１０  締付部品
１１  結合部
１１１  止具押さえ
１１２  突起部
１１３  孔
１２    圧着部
１２１  止具
１２２  押圧端
１２３  レバー
２０    本体
２１    結合部
２２１  孔
２２    圧迫アーム
２２１  受圧部
２２１１  差込孔
１２２１  スプリング
３０    ラジエータ
３１    放熱フィン
３２    放熱モジュール
３３    収納槽
４０    支座
４１    接合体
５０    ＣＵＰ
６０  コネクタ
７０  電子回路板
ｄ１  高さ
ｗ１  幅
ｗ２  軸孔の高さ
ｄ２  突起部の底辺から受圧部までの高さ
【図１】
0003107418.tif 000003
【図２】
0003107418.tif 000004
【図３Ａ】
0003107418.tif 000005
【図３Ｂ】
0003107418.tif 000006
【図３Ｃ】
0003107418.tif 000007
【図３Ｄ】
0003107418.tif 000008
【図４Ａ】
0003107418.tif 000009
【図４Ｂ】
0003107418.tif 000010
【図５】
0003107418.tif 000011
【図６】
0003107418.tif 000012
【図７Ａ】
0003107418.tif 000013
【図７Ｂ】
0003107418.tif 000014
【図７Ｃ】
0003107418.tif 000015
【図７Ｄ】
0003107418.tif 000016
【図８Ａ】
0003107418.tif 000017
【図８Ｂ】
0003107418.tif 000018
【図９】
0003107418.tif 000019
【図１０】
0003107418.tif 000020
【図１１Ａ】
0003107418.tif 000021
【図１１Ｂ】
0003107418.tif 000022
【図１１Ｃ】
0003107418.tif 000023
【図１１Ｄ】
0003107418.tif 000024
【図１２Ａ】
0003107418.tif 000025
【図１２Ｂ】
0003107418.tif 000026
【手続補正書】
【提出日】平成16年8月27日(2004.8.27)
【手続補正１】
【補正対象書類名】図面
【補正対象項目名】図７Ｄ
【補正方法】変更
【補正の内容】
【図７Ｄ】
0003107418.tif 000027
【手続補正２】
【補正対象書類名】図面
【補正対象項目名】図８Ａ
【補正方法】変更
【補正の内容】
【図８Ａ】
0003107418.tif 000028
【手続補正３】
【補正対象書類名】図面
【補正対象項目名】図８Ｂ
【補正方法】変更
【補正の内容】
【図８Ｂ】
0003107418.tif 000029
【手続補正４】
【補正対象書類名】図面
【補正対象項目名】図９
【補正方法】変更
【補正の内容】
【図９】
0003107418.tif 000030